(57)【特許請求の範囲】
【請求項１】
筐体内に、採取した血液成分を測定するための電気回路基板と、前記電気回路基板上に配置されるとともに、前記筐体に形成された開口より露出して、前記電気回路基板により測定された結果を表示するための表示部とを備え、さらに、前記開口より露出する表示部を覆って、前記表示部を保護するよう、前記開口の周縁部を構成する筐体上に接合された表示パネルを備えた血液分析装置であって、
前記表示パネルを支持する開口の周縁部には、貫通孔を設けてあり、前記貫通孔と連通する筐体内部の空間は、前記電気回路基板と表示部を設けた空間とは、隔離してあることを特徴とする血液分析装置。
【請求項２】
前記周縁部には、その一部または全部の領域に、前記貫通孔に続く傾斜面を備えた請求項１に記載の血液分析装置。
【請求項３】
前記傾斜面は、貫通孔よりも筐体の内周側に形成され、筐体の外周方向に向かって深くなり、前記貫通孔に続くことを特徴とする請求項２に記載の血液分析装置。
【発明の詳細な説明】
【技術分野】
【０００１】
本発明は、人体から採取した血液を用いてその血液成分を測定する血液分析装置に関するものであり、ＰＯＣＴ（ポイント・オブ・ケア・テスティング）に好適な小型で携帯が可能な機器、例えば簡易血糖値測定器に関するものである。
【背景技術】
【０００２】
糖尿病患者が自己血糖の管理のために、皮膚から血液を採取し、血糖値を測定する血液分析装置が広く普及している。このような血液分析装置は、使い捨ての測定用センサが着脱自在に装着され、この装着された測定用センサに皮膚からの血液を点着した後、このセンサ内で生じる反応を、分析装置内に設けた測定回路で分析し、血糖値などをその表示部に表示するものである。
【０００３】
このような血液分析装置は、一般的には、筐体に、測定用センサが着脱されるコネクタと、筺体に設けた開口から露出するよう配置された、測定結果を表示するための液晶パネルなどの表示部と、この表示部を保護するよう表示部の上面に取り付けられた、透明部材よりなる表示パネルとを備えている。また筺体の内部には、測定用センサが接続されたコネクタおよび表示部と電気的に繋がる電気回路基板が配置されている（例えば、特許文献１参照）。
【０００４】
ここで、従来の表示パネルの取り付け構造について説明する。表示パネルを設ける目的は、測定結果を表示する液晶などの表示部を外部からの埃、異物、傷及び衝撃等から保護するためである。
【０００５】
図７（ａ）は従来の血液分析装置１０１を示す正面図であり、図７（ｂ）は図7（ａ）の断面Ｆ−Ｆ‘における断面図を示す。表示部１０８は、筺体１０２に設けた開口から露出するよう筺体１０２の内部に配置されている。表示パネル１０４は、筺体１０２にも受けた開口の周縁部２０３の上面に、表示パネル１０４の底面が支持されるように接合されている。
【特許文献１】特表２００６−５２２９２３号公報
【発明の開示】
【発明が解決しようとする課題】
【０００６】
このような血液分析装置においては、皮膚をランセットなどの穿刺器具で穿刺して血液を滲出させた状態で、測定用センサに点着させるなどの測定操作をするため、どうしても、筐体表面、表示パネル表面、コネクタ近傍などに血液が付着しやすい。とりわけ表示パネルと筺体との間に血液が付着した場合には、表示パネルと筺体の隙間から血液が筺体内部に流れ込む恐れがある。
【０００７】
ところで表示パネルの取り付けは、表示パネル１０４の底面を筐体の開口の周縁部２０３に固定するのだが、表示パネルおよび筐体の寸法バラツキがあり、また製造工程において複数の部品を組立てていくために、表示パネルと前記筐体との間に必ず隙間が生じてしまう。
【０００８】
このため表示パネル１０４と筐体１０２に存在する隙間２０２から血液が侵入すると、図７（ｂ）に示すように矢印の方向に液体が流れ、接合面２０３を伝って内部の表示部１０８および電気回路基板１０７に達してしまうことになる。これによって表示部１０８の表示不良、配線の短絡による破壊及び測定不能等の問題を引き起こすという課題を有していた。
【０００９】
また、測定用センサを装着するコネクタ１０５においても、ネクタの実装精度、コネクタの寸法、筐体の寸法にバラツキ、または製造工程において複数の部品を組立てていくために、隙間が生じる。このため上記と同様、血液がコネクタ周辺に付着した場合に筐体との間の隙間から侵入し、電気回路基板などに達する可能性がある。このような場合、配線の短絡による破壊及び測定不能等の問題を引き起こし易いという課題も有していた。
【００１０】
本発明は、表示パネルと筐体との間の隙間や、コネクタと筐体との隙間から侵入した血液が筺体内部に侵入しても、電気回路基板などに達しない構造を提供することを目的とする。
【課題を解決するための手段】
【００１２】
また、本発明の血液分析装置は、筐体内に、採取した血液成分を測定するための電気回路基板と、前記電気回路基板上に配置されるとともに、前記筐体に形成された開口より露出して、前記電気回路基板により測定された結果を表示するための表示部とを備え、さらに、前記開口より露出する表示部を覆って、前記表示部を保護するよう、前記開口の周縁部を構成する筐体上に接合された表示パネルを備えた血液分析装置であって、前記表示パネルを支持する開口の周縁部には、貫通孔を設けてあり、前記貫通孔と連通する筐体内部の空間は、前記電気回路基板と表示部を設けた空間とは、隔離してあることを特徴とするものである。
【発明の効果】
【００１４】
上記構成の血液分析装置によれば、表示パネルと筐体との間の隙間や、コネクタと筐体との隙間から侵入した血液は、表示部や電気回路基板に達することはなく、動作不良を起こすようなことはなくなる。
【発明を実施するための最良の形態】
【００１５】
（実施の形態１）
以下、本発明の一実施の形態を、図面を参照しながら説明する。図１Ａは、本実施の形態に係る血液分析装置１０１を示す斜視図であり、図１Ｂは血液分析装置１０１から上筐体１０２と下筐体１０３とを分解し、血液分析装置１０１の内部を示した分解斜視図である。血液分析装置内部には表示部１０８および電気回路基板１０７が存在し、基板上には制御部をはじめ、血液分析装置の根幹を成す電気回路が存在する。なお１０４は表示パネル、１０５は測定用センサが装着されるコネクタ、１０６は操作ボタンをそれぞれ示す。
【００１６】
図２（ａ）は図１の血液分析装置１０１から表示パネル１０４を取り除いた上体を示す図であり、図２（ｂ）は図２（ａ）のＡ−Ａ‘で切断した斜視図を、図２（ｃ）は図２（ａ）のＡ−Ａ’断面の要部を示す（隙間２０２を明示するために表示パネル１０４を図示している）を示すものである。
【００１７】
ここで、表示パネル１０４と上筐体１０２とには成形バラツキがあったり、また製造工程において複数の部品を組立てたりするために、表示パネル１０４と上筐体１０２との間に、図２（ｃ）に示すような隙間２０２が必ず発生する。
【００１８】
ここで表示パネル１０４と上筺体１０２との間の上部に血液が付着した場合には、図２（ｃ）に示す矢印に沿って、隙間２０２から侵入した液体は流れ、最終的には表示部１０８もしくは基板１０７に到達する可能性がある。
【００１９】
そこで本実施の形態では、上筐体１０２と表示パネル１０４との接合部となる部分に第１の凹部を形成している。具体的には、表示部１０８を露出させるよう、上筺体１０２に開口を形成しており、この開口の周縁部２０３にて表示パネル１０４の底面を支持するよう構成しているが、この周縁部２０３の上面に凹部２０１を設けている。
【００２０】
図２（ｃ）に示す矢印のように、表示パネル１０４と上筐体１０２との間の隙間２０２から侵入した液体は周縁部２０３に達するが、血液は凹部２０１に導入され、血液分析装置内部の表示部１０８もしくは電気回路基板１０７などに到達することはない。このため表示部１０８や電気回路基板１０７が血液の付着により動作不良を起こすことを防止することができる。
【００２１】
（実施の形態２）
図３に本発明の実施の形態２を示す。図３（ａ）は図１の血液分析装置本体１０１から表示パネル１０４を取り除いた図であり、図３（ｂ）は図３（ａ）をＢ−Ｂ‘で切断した斜視図を、図３（ｃ）は図３（ａ）のＢ−Ｂ’断面図（隙間２０２を明示するために表示パネル１０４を図示している）を示している。
【００２２】
ここで、表示パネル１０４と上筐体１０２とは成形バラツキがあったり、製造工程において複数の部品を組立てたりするため、表示パネル１０４と上筐体１０２との間に図３（ｃ）に示すように隙間２０２が必ず発生する。図３（ｃ）に示す矢印に沿って隙間２０２から侵入した血液は流れ、最終的には内部の表示部１０８もしくは電気回路基板１０７に到達する可能性がある。
【００２３】
そこで本実施の形態２では、表示パネル１０４を支持する上筺体１０２の周縁部２０３に、外周方向に向かって次第に傾斜する傾斜部３０２を設け、さらに傾斜部３０２の下端、すなわち周縁部２０３の最外周に凹部３０１を設けている。
【００２４】
図３（ｃ）に示す矢印のように、表示パネル１０４と上筐体１０２との間の隙間２０２から侵入した液体は傾斜部３０２に達するが、傾斜部３０２は傾斜しているため液体は外周の凹部３０１に導入され、血液分析装置内部の表示部１０８や電気回路基板１０７などに到達することはない。このため表示部１０８や電気回路基板１０７が血液の付着により動作不良を起こすことを防止することができる。
【００２５】
（実施の形態３）
図４に本発明の実施の形態３を示す。図４（ａ）は図１の血液分析装置１０１から表示パネル１０４を取り除いた図であり、図４（ｂ）は図４（ａ）をＣ−Ｃ‘で切断した斜視図を、図４（ｃ）は図４（ａ）のＣ−Ｃ’断面図（隙間２０２を明示するために表示パネル１０４を図示している）を示している。
【００２６】
ここで、表示パネル１０４と上筐体１０２とは成形バラツキがあり、また製造工程において複数の部品を組立てたりするために、表示パネル１０２と上筐体１０２との間に図４（ｃ）に示すように隙間２０２が必ず発生する。このため図４（ｃ）に示す矢印に沿って隙間２０２から侵入した血液は流れ、最終的に血液分析装置内部の表示部１０８や電気回路基板１０７に到達する可能性がある。
【００２７】
そこで本実施の形態では、上筐体１０２のうち、表示パネル１０４を支持する周縁部２０３に、外周に向かって次第に傾斜する傾斜部３０２を設け、さらに傾斜部３０２の下端、すなわち周縁部２０３の最外周に貫通孔４０１を設けている。貫通孔４０１は電気回路基板１０７および表示部１０８とは、筺体内部の隔壁により隔離した構造である。貫通孔４０１に達した血液は、図４（ｂ）に示す矢印のように最終的には下筐体１０３の空間に留まる。故に隙間２０２から侵入した液体は内部の表示部１０８もしくは電気回路の基板１０７などに到達することはない。このため表示部１０８や電気回路基板１０７が血液の付着により動作不良を起こすことを防止することができる。
【００２８】
（実施の形態４）
図５および図６に本発明の実施の形態４を示す。図５（ａ）は図１の血液分析装置１０１から表示パネル１０４を取り除いた図であり、図５（ｂ）は図５（ａ）のＤ−Ｄ‘で切断した状態の斜視図を、図５（ｃ）は図５（ａ）のＤ−Ｄ’断面図を示している。
【００２９】
また図６（ａ）は図１の血液分析装置１０１から表示パネル１０４を取り除いた図であり、図６（ｂ）は図６（ａ）のＥ−Ｅ‘で切断した状態の斜視図を、図６（ｃ）は図６（ａ）のＥ−Ｅ’断面図を示している。
【００３０】
ここで、測定用センサが装着されるコネクタ１０５と上筐体１０２とは成形バラツキがあり、また実装工程における実装ズレ、さらに製造工程において複数部品の組立てていくために、コネクタ１０５と上筐体１０２との間には図５（ｃ）および図６（ｃ）に示すように隙間５０１ができてしまう。隙間５０１は図５に示すようにコネクタ１０５の正面だけでなく、図６に示すようにコネクタ１０５の両側面にも存在する。
【００３１】
このためセンサ挿入口の隙間５０１から侵入した血液は、図５（ｃ）の矢印に示すように下筐体１０３に流れたり、図６（ｃ）の矢印に示すように下筐体１０３に流れたりしてしまう。
【００３２】
そこで本実施の形態では、下筺体に流れた血液が、表示部１０８や電気回路基板１０７に到達しないように隔壁５０２を設け、上記の隙間５０１を開口とする第２の凹部となる収納部５０３を形成している。流れた血液はこの収納部５０３に溜まるように構成している。故に隙間５０１から侵入した液体は血液分析装置内部の表示部１０８や電気回路基板１０７に到達することはなく動作不良を起こすことはない。
【産業上の利用可能性】
【００３３】
本発明に係る医療用血液分析装置は、血糖値や乳酸値、ヘモグロビンなどに限らず、血液を採取して分析操作をおこなう、小型で携帯可能な血液分析装置に広く適用でき有用である。
【図面の簡単な説明】
【００３４】
【図１Ａ】本実施の形態に係る血液分析装置の斜視図
【図１Ｂ】同血液分析装置の分解斜視図
【図２】本実施の形態１に係る血液分析装置を示す正面図、要部を切断して示す斜視図、及び要部断面図
【図３】本実施の形態２に係る血液分析装置を示す正面図、要部を切断して示す斜視図、及び要部断面図
【図４】本実施の形態３に係る血液分析装置を示す正面図、要部を切断して示す斜視図、及び要部断面図
【図５】本実施の形態４に係る血液分析装置を示す正面図、要部を切断して示す斜視図、及び要部断面図
【図６】同実施の形態における他の血液分析装置の構成例における正面図、要部を切断して示す斜視図、及び要部断面図
【図７】従来の血液分析装置の正面図および要部断面図
【符号の説明】
【００３５】
１０１    血液分析装置
１０２    上筐体
１０３    下筐体
１０４    表示パネル
１０５    コネクタ
１０６    操作ボタン
１０７    電気回路基板
１０８    表示部
２０１，３０１    凹部
２０２，５０１    隙間
２０３    周縁部
３０２，４０２    傾斜部
４０１    貫通孔
５０２    隔壁
５０３    収納部
【図１Ａ】
0005157567.tif 000002
【図１Ｂ】
0005157567.tif 000003
【図２】
0005157567.tif 000004
【図３】
0005157567.tif 000005
【図４】
0005157567.tif 000006
【図５】
0005157567.tif 000007
【図６】
0005157567.tif 000008
【図７】
0005157567.tif 000009